(57)【要約】      （修正有）【課題】工芸品の美術性とアクセサリーとして宝飾性を融合させ、ステンドグラスのように美術性、ファッション性を高めた真珠母貝の装飾具を提供する。【解決手段】真珠母貝１にインクジェット印刷技術を用いる。インクの染料や顔料は粒子がミクロン単位厚みのためアートが透けて見えそのことでアート部分に干渉縞、干渉色２を反映させることが可能であり、画像の白色の部分は色の三原色が反映されないため印刷されないというメリットやインクを噴射させるので印刷対象の貝表面が真っ平らでなく多少の凹凸面でも印刷できるメリットも得られるなどの理由からインクジェット印刷技術を用いる。【選択図】図６
2009028521.tif 000002
【特許請求の範囲】
【請求項１】
研磨された真珠母貝表面に施したいアート画像をインクジェット方式のプリンタを用いて印刷することで研磨された真珠母貝の真珠層そのものが持つ白色光どうしが互いに干渉してできる干渉縞がアートの下から透けて見えることで真珠母貝の真珠層の持つ干渉縞や干渉色がアートの色と重なり合うことでアートの色に微妙に変化が現れて、アート部分を含む真珠母貝表面が光に反射しステンドグラスのようにキラキラと色鮮やかに輝く真珠母貝であって、その真珠母貝表面に透明な保護膜を施した真珠母貝(宝飾具)。
【請求項２】
請求項１に記載の真珠母貝にアート画像を施した宝飾品であって、
請求項１に記載の真珠母貝を固定するための取付手段を備えた装飾具とペンダントや携帯ストラップなどを通す為の装飾具用装飾部材および／またはブローチ、イヤリングなどの身体へ装着させるための装身具用装飾部材を備えた装飾具。
【発明の詳細な説明】
【技術分野】
【０００１】
本発明は、真珠母貝および装飾に関し、研磨された真珠母貝表面にアートが描かれたもの、アート及びデザインがプリントされた真珠母貝と、その真珠母貝を装着した装飾具とを対象としている。
【背景技術】
【０００２】
工芸品の世界では、研磨された真珠母貝表面に漆で文様を描き、金・銀・スズ・色粉などを付着させる蒔絵技法を用いた漆工芸品があり、蒔絵技法では真珠母貝の真珠層そのものが持つ白色光どうしが互いに干渉してできる干渉縞に複雑について見える色や水の表面に浮かんだ油膜ように見られる干渉色が塗布に用いた材料の厚みがあるので反映されていない。背景を真珠母貝のままにし、アート部分を蒔絵にしたものならまだ一部干渉色も楽しめるのだが、中には真珠母貝表面一面に蒔絵が施されており、真珠母貝を用いていることがわからないものまである。また近年アクセサリーの世界では、アートなどを施さないでただ単に研磨し形を整えた真珠母貝に装飾具を施し干渉縞や干渉色を楽しむペンダントがある。
【特許文献１】特開平11-56452号公報
【発明の開示】
【発明が解決しようとする課題】
【０００３】
本発明の課題は、工芸品の美術性とアクセサリーとして宝飾性を融合させることである。研磨された真珠母貝表面のアート部分が不透明ではなく透明または透けて見えれば、真珠母貝の真珠層の持つ干渉縞や干渉色がアートのさまざまな色と重なり合うことでアートの色に微妙に変化が現れて、アート部分を含む真珠母貝表面がキラキラと光に反射し、まるでステンドグラスのように美術性、ファッション性を高めた真珠母貝の装飾具を提供することができる。
【課題を解決するための手段】
【０００４】
上記目的を達成するために、真珠母貝にインクジェット印刷技術を用いることで本課題を解決させる。
【０００５】
インクジェット印刷技術を用いる理由として、例えば、市販の一般的ビジネス用、家庭用プリンタにインクジェット対応の透明フィルタ用紙をセットし、写真やアート、デザインを印刷した透明フィルム用紙を光源に向かってかざすとステンドグラスのように向こうが透けて見え、しかも色が蛍光色のように明るくきれいになる。これはインクの染料や顔料は粒子がミクロン単位厚みのためアートが透けて見えそのことでアート部分に干渉縞、干渉色を反映させることが可能であり、画像の白色の部分は色の三原色が反映されないため印刷されないというメリットやインクを噴射させるので印刷対象の貝表面が真っ平らでなく多少の凹凸面でも印刷できるメリットも得られるなどの理由からインクジェット印刷技術を用いることで本課題を解決させる。
【発明の効果】
【０００６】
宝飾品業界が抱えている問題の一つとしての商品のマンネリ化がある。真珠母貝の宝飾品としてはカメオがあるが貝を削ることでデザインに立体感のあるものの光沢感はない。インクジェット印刷を施せばカメオの女性の顔を肌色に、髪の毛を黒や金髪することが可能となる。一般的に高級イメージが真珠にはある。その真珠を育てた真珠母貝には真珠同様綺麗な照りツヤがあり、真珠母貝を用いた装飾品は新しいアイテムとなり得る。蒔絵など従来のオペック（不透明）のアートや色表現の制約から開放し、様々な表現方法が実現できる。職人による一つ一つの手作りではなく、印刷することで同じアートのものが大量生産が可能となる。真珠母貝は真珠を生産するためだけに育成されており、寿司屋、魚屋でお目にかかることはない。真珠母貝は真珠を採取した後は産業廃棄物となっている。アートをファッションとして楽しむ女性に新しいファッションアイテムを提供することができる。
〔使用する貝の種類〕
真珠の母貝としては、海水棲２枚貝であるアコヤ貝、白蝶貝、黒蝶貝、紅蝶貝、マベ貝などや海水棲２枚貝であるイケチョウ貝、ヒレイケチョウ貝、カワシンジュ貝、カラス貝、ドブ貝などが有名であるが、本発明に使用する真珠母貝の種類は干渉色の綺麗な貝であれば特に種類は問わない。貝としての高級イメージがあり、入手が容易なものが望ましい。
【０００７】
また真珠母貝ではないが、カブト貝などのカメオに用いられる貝殻やメノウなどの石も使用できるものとする。
【０００８】
〔貝の形状〕
真珠母貝の表面がつるつるで綺麗な干渉色が出るまで磨き上げられた凹面状、凸面状、平面状のプレート、チップが適用できる。そのチップの形状は意匠性などを考慮して自由に設計でき、例えば、円盤状、多角形状、円錐状、角錐状、その他の幾何学図形状をなすものが採用できる。表面に凹凸を形成したり、装飾模様を彫り込んだりすることもできるし、宝石や擬似宝石を真珠母貝の表面に貼り付けても良いし真珠母貝の表面に溝を彫り宝石や擬似宝石を埋め込むこともできる。
〔インクジェット印刷機〕
インクジェット印刷機には、プリンタヘッドが左右にしか移動せず、印刷する対象物を予め位置決めさせておいてからスライド移動させることで印刷できるタイプと印刷対象物をスライド移動させるのではなく、印刷対象物を位置決めしてプリンタヘッドを前後左右に移動させて印刷するタイプとがあるが、本発明にはどちらのタイプを使用してもよい。
なお研磨された真珠母貝を印刷するにあたって、真珠母貝に噴射されたインクが流れずに定着するためのインク定着液を印刷前に真珠母貝表面に予め塗布しておかなければならない。また位置決め形状認識させるために紫外線認識カメラを搭載している印刷機であれば、真珠母貝に予め紫外線認識カメラに感知させるための溶液を塗布しておかなければならない。
〔透明な保護膜〕
デザインを施した真珠母貝表面をネイルアートに用いるトップコートやスカルプチュアで使われる樹脂で塗布してもよいし、光硬化性樹脂をデザインを施した貝表面に塗布しＵＶライトで硬化させてもよい。また、予め形状を整えた樹脂の裏側とデザインを施した貝表面とを接着させることもできる。またこれらの溶剤を混合させても重ねて塗布してもよい。
【０００９】
なお透明な保護膜を塗布する前にＵＶカット用の溶剤を塗布しておくと印刷のインクの色あせ防止となる。もちろん透明な保護膜として使用する溶剤そのものにＵＶをカットする機能のものを使用しても良い。
〔装飾具〕
アート画像を印刷し、はがれないように透明な樹脂でコーティングされたチップ状の貝を固定するために取付手段を備えた、ペンダントトップや携帯ストラップなどの装飾具やブローチ、ピアス、イヤリング、ネクタイピンなどの装身具の本体部分である。
【００１０】
装飾具には装飾具や装身具としての機能を果たすための装飾部材を備えている。
【００１１】
装飾具の具体的形状は、貝の寸法あるいは外形に合わせて、意匠性あるいは保護性を果たせるように設定される。装飾具の外形は意匠性などを考慮して自由に設計でき、例えば、円盤状、多角形状、円錐状、角錐状、その他の幾何学図形状をなすものが採用できる。表面に凹凸を形成したり、装飾模様を彫り込んだりしたりすることもできる。
【００１２】
塗装、凹凸による模様として、文字、数字、記号、デザイン、絵などを形成することができる。
【００１３】
装飾具は、概略「□」「０」字形の周形状の内開口側に真珠母貝が脱落しないための概略「「」字形などの挟持用受け縁と真珠母貝の表裏を挟み込むためのかしめ用突起片を設けることができる。また真珠母貝の外側装飾具開口部側に「く」「（ ）「［ ］字形に凹んだ２点以上の挟持部を有し、取付手段を有した部材を介して真珠母貝の側面を挟み込む構造であってもよいし、貝の外側装飾具開口部側向きに貝が脱落しないための概略「「」字形などの挟持用受け縁をあえて設けず概略「凹」字形の貝の周形状にぴったりフィットする縁壁を設てあり、後から貝を入れ、真珠母貝の裏と装飾具概略「凹」字形の底の部分を接着剤で固定するための装飾具であってもよい。
【００１４】
開口は真珠母貝のアートが出来るだけ多く見せることができるような寸法形状のものが好ましい。開口の形状は隅にアールがついた長方形、楕円形、多角形であるが、ハート形やクローバー形、円形、などの各種形状を採用することもできる。
【００１５】
装飾具は、真珠母貝側面全体を覆ってもよいし、脱落しない程度に数箇所で支えてもよい。
〔取付手段〕
デザインを施した真珠母貝を装飾具に対して、通常の装飾具や機械装置などにおける部材の取付手段が適用できる。
【００１６】
取付手段は、装飾具本体とは別の部材で構成してもよいし、装飾具そのものに取付手段となる形状や構造を形成しておいてもよい。
【００１７】
具体的には装飾具の一方に受け縁を設け、真珠母貝を入れてからもう一方に予め設けておいた突起片でかしめることで固定したり、穴、溝などの凹凸による嵌合係止構造を貝と装飾具を取り付ける構造部分の何れか一方あるいは両方に設けておくことができる。ねじやピン、爪片などの、装飾具には余り用いない固定具を利用することができる。
【００１８】
また装飾具の素材の持つ弾力性を利用しクリップのように真珠母貝を挟持し、装飾具の素材が元の形状に戻ろうとする力とそこに発生する摩擦力して真珠母貝を固定することもできる。この方法を採用すれば、製作に当たり真珠母貝に対する装飾具の形状や大きさ、または装飾具に対する真珠母貝の形状や大きさにかなりシビアな精度が要求されるが着脱が可能となるメリットがある。
【００１９】
またアートが施され保護膜で覆われた真珠母貝の裏側に直接接着剤や両面テープで装飾具を取り付けることもできる。安易な方法ではあるが、カメオなどを装飾枠に固定する際にしばしば接着剤用いられている。
〔装飾部材〕
ペンダントトップならばペンダントに吊るすためにペンダントを通すためのバチカンなどであり、ブローチならば服や帽子に留めるためのブローチピン、テッポウ、キャッチなどでありピアスならば耳にピアスを通すための針金などの宝飾品装飾具がおのおの備えておかなければいけない機能を果たすパーツが該当する。
〔装飾具の材料〕
装飾具の材料は、デザインを施された真珠母貝を固定できる機械的強度を有していれば、金属、合成樹脂、セラミック、ガラス、その他の装飾材料が使用できる。金属として金や白金、シルバー、アルミ、ステンレス、真鍮、その他合金などが挙げられる。合成樹脂として塩化ビニル、ナイロン、ポリエステル、ポリエチレン、ポリプロピレン、ポリ塩化ビニル、シリコン、アクリル、ポリウレタン、スチレン、ポリカーボネート、エポキシ、ＡＢＳなどが挙げられる。装飾具を弾性のある合成ゴムなどで構成することもできる。ネイルアートの３Ｄ造形やスカルプチュアに使用される材料を使用することができる。
【００２０】
装飾具の表面に対して、全面あるいは一部の表面に、ロジュームメッキや金メッキなどのメッキを施したり、真空蒸着などで薄膜を形成したり、セラミックなどで塗装、コーティングを施したりすることができる。
【００２１】
エナメル材料を塗布し焼き付けてホウロウあるいは七宝状の仕上げを施すこともできる。
装飾枠に小さな宝石やガラスなどを埋め込むこともできる。
〔宝石あるいは宝飾品〕
装飾枠に用いられる宝石あるいは宝飾品の具体例としては、ダイアモンド、キュービックジルコニアやサモアナイトなどの擬似ダイアモンド、アイオライト、アクアマリン、アパタイト、アベンチュリン、アメシスト、インカローズ、エメラルド、オパール、オニキス、ガーネット、カルセドニー、キャッツアイ、クリソプレーズ、クンツファイト、サファイア、サンゴ、シトリン、試金石、白蝶貝、真珠、水晶、スピネル、タンザナイト、トパーズ、トラル、トルコ石、トルマリン、ヘマタイト、ペリドット、マラカイト、ミラーボール、ムーンストーン、メノウ、ロードナイト、ローズクォーツ、ルビー、ラピスラズリなどや、これらの合成石、ビーズやスワロスキーなどの擬似宝石などがあげられる。
【発明を実施するための最良の形態】
【００２２】
「挟持方式を採用した実施形態例」
図1と図２で示すように干渉縞干渉色２が出るまで凸状カボション形状３に研磨され、六角形にカッティングされた真珠母貝１に図３で示すように５→６→７→８の手順で具体的には真珠母貝１とインクを定着させるための透明な溶剤を定着させる透明な溶剤５を塗布した後インクを定着させる透明な溶剤６を塗布し、インクジェット印刷機でアートを印刷７した後、仕上げに印刷されたアート７を保護するための透明な樹脂８を塗布する。
【００２３】
なお使用する印刷機が印刷対象物である真珠母貝1を固定させプリンタヘッドを前後左右に移動させることで印刷するタイプであれば、真珠母貝とインクを定着させるための溶剤の代わりに紫外線を感知する役目も付加された透明な溶剤を使用する。
【００２４】
図４で示すようにインク自体がミクロン単位の厚みなので印刷されたアート７の下層である母貝1の干渉縞干渉色２がインクの色が載った干渉縞干渉色９となって見えている。なお従来の技術である漆工芸品図８の漆を用いて描かれたアート１７には干渉縞干渉色が見られない。
【００２５】
図５は図４の真珠母貝を取り付ける前の状態の装飾具を示している。装飾具本体１０は図４で示した真珠母貝が隙間なく納まる周状、枠状形状をしており、ペンダントとして楽しむための装飾部材のバチカン１３とブローチとして楽しむための装飾部材のテッポウ１４が設けられている。装飾具本体１０の背面方向から挿入した真珠母貝図４が脱落しないように装飾具本体１０には受け縁１２が設けられており、装飾具本体１０の背面側には挿入した真珠母貝図４を挟持するための受け縁１２の相手側としての突起片１１が設けられ、装飾具本体１０の背面方向から真珠母貝図４を挿入した後に図７のように突起片１１を折り畳みかしめることで挟持させる。図６は図７の正面図である。
「接着剤方式を採用した実施形態例」
図９は接着剤を用いて真珠母貝と装飾品本体を固定している実施形態を示している。装飾品本体１０は略字「凹」状になっており、且つ図４で示した真珠母貝が隙間なく納まる周状、枠状形状の内壁が設けられている。装飾品本体１０の略字「凹」状底１６の中央には前方から入れた真珠母貝図４が貫通しない大きさの開口１９を正真正銘の貝であることが判ってもらえるために設けている。また、ペンダントとして楽しむための装飾部材のバチカン１３とブローチとして楽しむための装飾部材のテッポウ１４が設けられている。
【００２６】
装飾品本体１０の略字「凹」状の底１６表側に予め接着剤２０を塗布しておいた装飾品本体１０に図３で示したアートを印刷し透明な保護膜８を設けた真珠母貝１８を装飾品本体１０の前方より入れることで固定している。なお強力な両面テープを接着剤で固定すれば、装飾品本体１０の略字「凹」状の底に開いている開口１９に真珠母貝の内側４に向けて俸などで押せば容易に外すことができるようになり、装飾品本体１０一つに対し複数のアートを施した真珠母貝１８を楽しむこともできるようになる。
「宝飾具(装飾枠)素材の弾力性を利用した実施形態例」
図１０〜図１８は宝飾具(装飾枠)１０素材の弾力性を利用し、アートを印刷し透明な保護膜を施された真珠母貝２１を装飾具(装飾枠)１０に装着される際に装飾具(装飾枠)１０が真珠母貝に押されて変形し、元の形状に戻ろうとする力と真珠母貝２１と装飾具(装飾枠)１０間に発生する摩擦力によって挟持させる実施形態例を示している。この宝飾具(装飾枠)素材の弾力性を利用した実施形態の採用メリットは、何度も着脱可能なところにあり、販売後の補修や在庫負担が軽減できる。
【００２７】
まず図１０は真珠母貝２１を装飾具(装飾枠)１０に装着させる前の状態を示した斜視図で、装飾具(装飾枠)１０は凹状をしており、凹状の底には装飾具(装飾枠)１０から真珠母貝２１を外す際に親指で真珠母貝２１を押すための開口部１９が設けられている。
【００２８】
図１１は図１２の斜視図を真上から見た状態の正面図である。ご覧のように装飾具(装飾枠)１０の上下部２２と左部２４において装飾具(装飾枠)１０の縁内周と真珠母貝２１外周がほぼぴったりの位置にあるのに対し、装飾具(装飾枠)１０の右部２６は装飾具(装飾枠)１０の縁内周と真珠母貝２１外周の間に若干の隙間２８が存在していることがわかる。装飾具(装飾枠)１０の縁内周と真珠母貝２１外周がまったく寸分の違いなく同じ大きさ形状であれば摩擦力も手伝って真珠母貝２１は具体的には装飾具(装飾枠)１０には挿入できない。具体的に説明すれば、図１１の装飾具(装飾枠)１０の上下２２部分と図１１の装飾具(装飾枠)１０の左部２４部分の断面拡大図である図１２(説明便宜上宝飾具上部の丸カン、バチカンは省略)で示すのように図１１の２２部分は装飾具(装飾枠)１０の縁内周に対して真珠母貝２１外周がぴったり同じかあるいは０．１〜０．２ミリ程度(素材の弾力性が生かせる程度で使用素材によって数値は変わる)装飾具(装飾枠)１０に対して真珠母貝２１が大きく (なおこの場合、図１１の２４部分はぴったり同じ大きさである) 、図１１の装飾具(装飾枠)１０右部２６部分である図１３で示すように真珠母貝２１外周と装飾具(装飾枠)１０の縁内周との間に０．数ミリ程度の隙間２８を作っておく。装飾具(装飾枠)１０に真珠母貝２１を挿入する際、装飾具(装飾枠)１０を手で持つか置いて、図１４のように(説明便宜上宝飾具上部の丸カン、バチカンは省略) 装飾具(装飾枠)上下部２２部分のどちらか一方の装飾具(装飾枠)１０内周縁に真珠母貝２１を引っ掛けもう片方の装飾具(装飾枠)１０縁内周に真珠母貝２１を立て掛けて、矢印２９の方向に親指３０で力強く真珠母貝２１押すことで挿入できる。図１５は装飾具(装飾枠)１０に真珠母貝２１を挿入固定した状態を示している。図１１の隙間２８に比べ図１５の隙間２８が小さくなっていることがわかる。具体的には装飾具(装飾枠)１０に対して真珠母貝２１を力強く押すことで図１６で示すように図１５の３５と３７部分の装飾具(装飾枠)１０の内周縁が外側に伸び、図１７で示すように図１５の３６部分の装飾具(装飾枠)１０の内周縁は内側に縮む。ここで気をつけなければならない点は図１１の隙間２８が小さすぎると入らないし大きすぎると装着しても図１５の隙間２８が目立ってしまうことである。次に装飾具(装飾枠)１０から真珠母貝２１を外す方法であるが、図１８(親指３０と反対側の手は省略しています)で示すように装飾具(装飾枠)１０を親指３０と反対側の手で固定し、装飾具(装飾枠)１０の裏側開口部１９から見えている真珠母貝２１を親指３０で力強く押せば外れる。
【００２９】
また本実施形態の説明をし易くするため図１１の２４部分はぴったり同じ大きさで、装飾具(装飾枠)１０と真珠母貝２１との隙間２８を設けなかったが、図１１の２４部分側に隙間２８を設けても良いし、挿入時左右の見た目のバランスを保つためも図１１の２４部分側と２６部分側両方に隙間２８を設けても良い。もちろん装飾具(装飾枠)１０左右部ではなく、上下部に隙間２８を設けても良いが、装飾具(装飾枠)１０左右部どちらか一方と上下部どちらか一方の計２箇所という隙間２８の設け方はできない。３方向は言うに及ばない。
【００３０】
なお、この実施形態の説明は、装飾具(装飾枠)１０の素材を比較的やわらかい貴金属を想定して説明したが、装飾具(装飾枠)１０が弾力性のない素材である場合は真珠母貝２１に塗布する溶液や透明な樹脂を真珠母貝２１側面にも塗布することで、真珠母貝２１側に弾力性を持たせることもできる。
【図面の簡単な説明】
【００３１】
【図１】本発明に用いる研磨された貝の側面図
【図２】本発明に用いる研磨された貝の正面図
【図３】図１に加工が施された後の貝の側面断面図
【図４】図１に加工が施された後の貝の正面図
【図５】図４の真珠母貝を取り付ける前の状態の装飾具の背面図
【図６】図４の真珠母貝を取り付けた状態の装飾具の正面図
【図７】図４の真珠母貝を取り付けた状態の装飾具の背面図
【図８】従来技術で作られた漆工芸品の正面図
【図９】本発明の接着剤方式を採用した実施形態を示す側面図
【図１０】本発明の素材の弾力性を利用した実施形態を示す斜視図
【図１１】図１０を真上から見た状態を示す正面図
【図１２】図１１の２２番と２４番部分の断面拡大図
【図１３】図１１の２６番部分の断面拡大図
【図１４】装飾具(装飾枠)に真珠母貝を装着する方法を示した図１１の２２番部分の断面拡大図
【図１５】装飾具(装飾枠)に真珠母貝を装着した状態を示す正面図
【図１６】装飾具(装飾枠)に真珠母貝を着脱させたときの装飾具(装飾枠)の形状変化を示した図１５の３５番と３７番部分の断面拡大図
【図１７】装飾具(装飾枠)に真珠母貝を着脱させたときの装飾具(装飾枠)の形状変化を示した図１５の３６番部分の断面拡大図
【図１８】装飾具(装飾枠)に装着されている真珠母貝を外す方法を示した図１５の３５番部分の断面拡大図
【符号の説明】
【００３２】
１      真珠母貝
２      干渉縞および干渉色
３      カボション状のカーブ形状
４      真珠母貝の内側
５      真珠母貝とインクを定着させる溶剤を定着させる溶剤
６      インクを定着させる溶剤
７      印刷されたアート
８      印刷されたアートを保護するための樹脂
９      印刷されたアートの下から透ける見える干渉縞干渉色
１０    装飾具（装飾枠）
１１    装飾具（装飾枠）に設けられたかしめ部
１２    装飾具（装飾枠）に設けられた脱落防止用の受け縁
１３    装飾部材のバチカン（チェーンを通すための部品）
１４    装飾部材のテッポウ（ブローチ用の部品）
１５    真珠母貝を研磨した面
１６    装飾品本体１０の略字「凹」状の底
１７    漆で描かれたアート
１８    図３で示した透明な保護膜まで施した真珠母貝
１９    装飾品本体１０の略字「凹」状の底に設けられた開口
２０    接着剤
２１    アートを印刷し透明な保護膜を施された真珠母貝
２２    宝飾具上部と下部で真珠母貝外周と装飾具（装飾枠）内周が接触する部分
２３    図１２断面図用切断線
２４    宝飾具左部で真珠母貝外周と装飾具（装飾枠）内周が接触する部分
２５    図１２断面図用断面図用切断線
２６    宝飾具右部で真珠母貝外周と装飾具（装飾枠）内周が接触する部分
２７    図１３断面図用断面図用切断線
２８    装飾具（装飾枠）内周と真珠母貝外周距離位置関係を示す隙間
２９    指圧方向
３０    親指
３１    装飾具（装飾枠）に真珠母貝を装着したときの装飾具（装飾枠）素材が伸びる方向
３２    装飾具（装飾枠）から真珠母貝を装着したときの装飾具（装飾枠）素材が縮む方向
３３    装飾具（装飾枠）に真珠母貝を外したときの装飾具（装飾枠）素材が縮む方向
３４    装飾具（装飾枠）に真珠母貝を外したときの装飾具（装飾枠）素材が伸びる方向
３５    宝飾具上部と下部で真珠母貝外周と装飾具（装飾枠）内周が接触している部分
３６    宝飾具右部で真珠母貝外周と装飾具（装飾枠）内周が接触している部分
３７    宝飾具左部で真珠母貝外周と装飾具（装飾枠）内周が接触している部分
【図１】
2009028521.tif 000003
【図２】
2009028521.tif 000004
【図３】
2009028521.tif 000005
【図７】
2009028521.tif 000006
【図９】
2009028521.tif 000007
【図１２】
2009028521.tif 000008
【図１３】
2009028521.tif 000009
【図１６】
2009028521.tif 000010
【図１７】
2009028521.tif 000011
【図４】
2009028521.tif 000012
【図５】
2009028521.tif 000013
【図６】
2009028521.tif 000014
【図８】
2009028521.tif 000015
【図１０】
2009028521.tif 000016
【図１１】
2009028521.tif 000017
【図１４】
2009028521.tif 000018
【図１５】
2009028521.tif 000019
【図１８】
2009028521.tif 000020